(57)【特許請求の範囲】
【請求項１】
前面にディスク出し入れ用開口部が形成されたケーシング内に、前記開口部から該ケーシング内に挿入された多数のディスクを所定間隔をおいて配列するためのディスク配列台と、該ディスク配列台に沿って往復移動可能な台車とが設けられ、該台車には、前記ディスク配列台上の所定のディスクを把持して台車上に引き込むためのローディング機構と、その台車上に引き込んだディスクを台車上のプレーヤー本体に装着するためのディスク装着機構とが設けられディスクオートチェンジャーにおいて、前記ディスク出し入れ用開口部に開閉可能に設けた開閉蓋が、横断面略く字状の前板部と、前板部の上端に一体形成された天板部と、前板部及び天板部の側縁に一体形成した左右の側板部とからなり、該側板部の外側面に、同心状に一体形成した大径突起部と小径突起部とからなる枢支突起が突設され、該枢支突起に対向して前記筐体の側板部の内側面に、同心状に一体形成した大径凹部と小径凹部とからなる枢支凹部が凹設されており、その枢支凹部に前記枢支突起を嵌入させることにより、その枢支凹部及び枢支突起の軸心を中心に開閉蓋を開閉するように形成され、前記大径凹部に所定角度をおいて一対の係合溝が形成され、その両係合溝に対向して大径突起部に係合突条が形成され、開閉蓋の前板部の下端縁に対向して筐体の天板部下面にストッパーが突設されており、開閉蓋を閉鎖状態にすることにより係合突条が一方の係合溝に係合され、該開放蓋を開放状態にすることにより、その開閉蓋が前記ディスク配列台に配列された多数のディスクの後方に移動され係合突条が他方の係合溝に係合され開閉蓋の前板部の下端縁がストッパーに当接されるようにしたことを特徴とするディスクオートチェンジャー。
【発明の詳細な説明】
【０００１】
【発明の属する技術分野】
本発明は、所定間隔をおいて多数配列されたＣＤ、ＭＤなどと略称する光ディスクや光磁気ディスク（以下、ディスクと称する）から所望のディスクを取り出して再生や記録または消去するためのディスクオートチェンジャーに関する。
【０００２】
【従来の技術】
従来、この種のディスクオートチェンジャーの一例として特開昭６１−１５６５６３号公報に記載のものがある。これは筺体内に、多数のディスクを所定間隔をおいて配列するためのディスク配列台と、該ディスク配列台に沿って往復移動可能な台車とが設けられ、該台車には、前記ディスク配列台上の所定のディスクを若干押し上げるためのディスク押し上げ機構と、その押し上げたディスクを転がして台車上に引き込むためのローディング機構と、その台車上に引き込んだディスクを台車上のプレーヤー本体に装着するためのディスク装着機構と、ディスク落下防止機構とが設けられている。
【０００３】
前記ディスク落下防止機構は、前記台車と筺体の両側壁に設けたプーリとの間に張設されたコイルスプリング付きディスクストップワイヤを有しており、ディスク配列台からディスクが後方に不測に落下しないようにしている。
【０００４】
【発明が解決しようとする課題】
上記従来の構成では、ディスク落下防止機構の構造が複雑で部品点数が多く、製作費が高くつくという欠点がある。
【０００５】
本発明は、上記従来の欠点に鑑み、構造が簡単で製作費が安くつくディスクオートチェンジャーを提供することを目的としている。
【０００６】
【課題を解決するための手段】
上記目的を達成するため、本発明は、前面にディスク出し入れ用開口部が形成されたケーシング内に、前記開口部から該ケーシング内に挿入された多数のディスクを所定間隔をおいて配列するためのディスク配列台と、該ディスク配列台に沿って往復移動可能な台車とが設けられ、該台車には、前記ディスク配列台上の所定のディスクを把持して台車上に引き込むためのローディング機構と、その台車上に引き込んだディスクを台車上のプレーヤー本体に装着するためのディスク装着機構とが設けられディスクオートチェンジャーにおいて、前記ディスク出し入れ用開口部に開閉可能に設けた開閉蓋が、横断面略く字状の前板部と、前板部の上端に一体形成された天板部と、前板部及び天板部の側縁に一体形成した左右の側板部とからなり、該側板部の外側面に、同心状に一体形成した大径突起部と小径突起部とからなる枢支突起が突設され、該枢支突起に対向して前記筐体の側板部の内側面に、同心状に一体形成した大径凹部と小径凹部とからなる枢支凹部が凹設されており、その枢支凹部に前記枢支突起を嵌入させることにより、その枢支凹部及び枢支突起の軸心を中心に開閉蓋を開閉するように形成され、前記大径凹部に所定角度をおいて一対の係合溝が形成され、その両係合溝に対向して大径突起部に係合突条が形成され、開閉蓋の前板部の下端縁に対向して筐体の天板部下面にストッパーが突設されており、開閉蓋を閉鎖状態にすることにより係合突条が一方の係合溝に係合され、該開放蓋を開放状態にすることにより、その開閉蓋が前記ディスク配列台に配列された多数のディスクの後方に移動され係合突条が他方の係合溝に係合され開閉蓋の前板部の下端縁がストッパーに当接されるようにしたことを特徴としている。
【０００７】
上記構成において、前記開閉蓋を開動させることにより開放したディスク出し入れ用開口部を通ってディスク配列台に多数のディスクを所定間隔をおいて配列した後、前記開閉蓋を閉動させる。続いて、例えばディスクに記録されている情報を再生する場合には、ディスク配列台に配列されている多数のディスクのうち、所望のディスクを指定し、その指定ディスクの前まで台車を走行させて停止させた後、ローディング機構及びディスク装着機構が駆動され、そのローディング機構により指定ディスクが挟持されて該ディスクが台車上に引き込まれた後、前記ディスク装着機構により台車上に引き込んだディスクが台車上のプレーヤー本体に装着され、続いて、プレーヤー本体の光ピックアップによりディスクの情報が読み取られて再生される。その再生終了後、前記とは逆の手順でディスクがディスク配列台の元の位置に戻される。
【０００８】
この場合、開閉蓋を開動させることにより、該開閉蓋がディスク配列台に配列された多数のディスクの後方に移動し、その開閉蓋によりディスク配列台上からディスクが後方に落下するのを防止するようになっており、前記開閉蓋がディスク落下防止機構を兼ねているから、従来に比べて構造が簡単で製作費を安くすることができる。
【０００９】
【発明の実施の形態】
以下、本発明の実施の形態を図面に基づいて説明する。図２１は本発明の実施の一形態であるディスクオートチェンジャーを示すものであって、筺体１の前面上部にディスクＤを出し入れするための開閉蓋２付き開口部３が形成されると共に、その前面下部に表示部４及び電源スイッチ５ａやディスク指定スイッチ５ｂなどの各種の操作スイッチが配設されている。
【００１０】
図１及び図２に示すように、前記筺体１内には、多数のディスクＤを所定間隔をおいて配列するためのディスク配列台６と、該ディスク配列台６に沿って左右方向ａ，ｂに往復移動可能な台車７とが設けられ、該台車７には、前記ディスク配列台６上の所定のディスクＤを挟持して台車７上に引き込むためのローディング機構８と、その台車７上に引き込んだディスクＤを台車７上のプレーヤー本体９に装着するためのディスク装着機構１０とが設けられ、前記台車７上に前記両機構８，１０を駆動するためのカム１１が回転駆動可能に配設され、また、前記カム１１により駆動されて配列台（被係合部材）６に係脱可能に係合することにより台車７を所定位置にロックするロックピン１２が設けられ、更に、台車７とカム１１との間に、該カム１１が正逆両方向にそれぞれ所定角度回転して停止位置に達したことを検出するカム停止スイッチ１３が設けられている。
【００１１】
前記ディスク配列台６は、図１及び図２に示すように、互いに所定間隔をおいて平行に配置された前列部６ａと後列部６ｂとからなり、該両部６ａ，６ｂには、左右方向ａ，ｂに沿って所定間隔をおいて多数の溝１５が形成され、その各溝１５にディスクＤを挿入するようになっている。
【００１２】
前記開閉蓋２は、図３及び図４に示すように、横断面略く字状の前板部２ａと、前板部２ａの上端に一体形成された天板部２ｂと、前板部２ａ及び天板部２ｂの側縁に一体形成された左右の側板部２ｃとからなり、該側板部２ｃの外側面に、同心状に一体形成した大径突起部７５ａと小径突起部７５ｂとからなる枢支突起７５が突設され、筺体１の前記側板部２ｃに対向する側板部１ａの内側面に、同心状に一体形成した大径凹部７６ａと小径凹部７６ｂとからなる枢支凹部７６が凹設されており、その枢支凹部７６に前記枢支突起７５を嵌入させることにより、その両者７５，７６の軸心Ｏ１を中心に開閉蓋２を開閉させることができる。
【００１３】
前記大径凹部７６ａに所定角度θ（この実施の形態では１１５°）をおいて一対の係合溝７７，７８が形成され、その両係合溝７７，７８に対向して大径突起部７５ａに係合突条７９が形成されており、開閉蓋２の閉鎖状態で係合突条７９が係合溝７７に係合され、開閉蓋２の開放状態で係合突条７９が係合溝７８に係合されることにより、開閉蓋２を閉鎖状態（図３実線状態）または開放状態（図３仮想線状態）に保持することができる。なお、開閉蓋２を開放した状態では、図３に示すように、前板部２ａの下端部が筺体１の天板部下面に突設したストッパー８２に当接して、開閉蓋２が筺体１内にそれ以上入り込むのを阻止する。
【００１４】
前記側板部２ｃの下端部に突設した突起片８０に対向してリミットスイッチなどからなる閉鎖状態検出器８１が設けられており、開閉蓋２を閉動させることにより、突起片８０が閉鎖状態検出器８１の検出部に当接され、該開閉蓋２を確実に閉鎖したことを検出することができる。
【００１５】
上記構成によれば、開閉蓋２を開動させることにより、図３仮想線に示すように、該開閉蓋２がディスク配列台６に配列された多数のディスクＤの後方に移動し、その開閉蓋２によりディスク配列台６上からディスクＤが後方に落下するのを防止するようになっており、開閉蓋２がディスク落下防止機構を兼ねているから、従来に比べて構造が簡単で製作費を安くすることができる。
【００１６】
図３に示すように、前記開閉蓋２の回転中心Ｏ１をディスク配列台６に配列したディスクＤの中心Ｏ２から上方に所定間隔Ｌ位置ずれしているから、その開閉蓋２の回転中心Ｏ１をディスクＤの中心Ｏ２に一致させた場合に比べて、開閉蓋２の回転半径が小さくなり、その小さくなった分だけ開閉蓋２をディスクＤに接近させることができ、筺体１の小型化を図ることができる。
【００１７】
前記台車７は、図１及び図２に示すように、筺体１に固定した上下両基板１７ａ，１７ｂ間に配置されると共に、車輪１８を介して下側基板１７ｂ上に載置され、台車７から上下に突出する横振れ防止ローラ１９，１９が上下両基板１７ａ，１７ｂに形成した長孔２０，２０の側縁部に転動可能に当接され、該台車７を上下方向に貫通する支軸２１の両端部に固定したピニオン２２，２２が上下両基板１７ａ，１７ｂのラック２３，２３に噛合されると共に、下側ピニオン２２に伝達ベルト２４を介して連動するピニオン２５が下側基板１７ｂのラック２６に噛合されており、台車７の上部に設けた台車モータ２７を駆動することにより、歯車機構２８を介して各ピニオン２２，２２，２５を正逆回転させ、台車７を左右方向ａ，ｂに往復移動させることができる。
【００１８】
前記カム１１は、図１及び図２に示すように、台車７上に支軸２１を中心に正逆方向ｃ，ｄに回転可能に枢支されており、台車７の下部に設けたカムモータ３０を駆動することにより、歯車機構３１、ウォーム３２及びカム１１の外周に形成したギヤ部３３を介して正逆回転される。
【００１９】
図５及び図６に示すように、前記後列部６ｂの下面中央部に垂設した中間板３５に左右方向ａ，ｂに沿って一定間隔ごとにスリット３６が形成され、前記中間板３５を間に挟んで対向する投光部と受光部とからなる光検知器３７が台車７に配設されており、台車７を矢印ａ，ｂ方向に沿って往復移動させると、投光部から受光部に投射される光が各スリット３６間の切り残し部３５ａにより遮断され、それにより発生するパルス信号をカウントすることにより、台車７の位置を検出することができる。
【００２０】
前記ロックピン１２は、図７及び図８に示すように、台車７上に前後方向ｅ，ｆに移動可能に載置した略Ｌ字状の移動板３９の立上り部３９ａに前後方向ｅ，ｆに沿って突設され、前記移動板３９の上面後端部に突設したカムピン４０がカム１１の下面に形成したロックピン用カム溝４１に係合され、前記後列部６ｂの後端に垂設した後板４２に左右方向ａ，ｂに沿って各溝１５の間隔に合わせて多数のロック孔（被係合部）４３が貫設され、移動板３９を後方に引っ張るばね４４が設けらている。
【００２１】
上記構成において、台車７を指定したディスクＤの前に停止させた後、カム１１を正転ｃさせると、図１８（ｂ）及び図１９に示すように、該カム１１が０°位置からイ位置（２１°）に達した時点からカム溝４１によりカムピン４０が前進ｅされ、ロ位置（４５°）でカムピン４０の前進ｅが停止され、これにより、ロックピン１２がロック孔４３に嵌入され（図７及び図８の仮想線状態）、台車７を所定位置にロックすることができる。またカム１１を逆転ｄさせることにより、上記とは逆の手順でカムピン４０が後退ｆされ、これにより、ロックピン１２がロック孔４３から引き抜かれ（図７及び図８に実線状態）、台車７を左右方向ａ，ｂに移動させることができるようになる。
【００２２】
前記ローディング機構８は、図９及び図１０に示すように、ディスクＤの下縁部に対向する下側ローディング部４７とディスクＤの横縁部に対向する横側ローディング部４８とからなり、該両ローディング部４７，４８は、互いに約９０°の対向角度をおいて基端部が枢支軸４９を介して台車７に回動可能に枢支された一対のディスク挟持用アーム４７ａ，４８ａと、該各アーム４７ａ，４８ａの先端部に揺動可能に連結された円弧状のディスク挟持片４７ｂ，４８ｂと、台車７に前後方向ｅ，ｆに沿って移動可能に支持され、先端部に形成した上下方向の長孔５０が各アーム４７ａ，４８ａの基端部に突設した係合ピン５１に係合された連結杆４７ｃ，４８ｃとを有し、該各連結杆４７ｃ，４８ｃの上面後端部に突設したカムピン５２ａ，５２ｂがカム１１の下面に形成したローディング用カム溝５３に係合され、横側ローディング部４８の連結杆４８ｃに該連結杆４８ｃを後方に付勢するばね５４とリミットスイッチなどからなるディスク検出器５５とが設けられ、下側ローディング部４７の連結杆４７ｃに該連結杆４７ｃを前方に付勢するばね５６と前記ディスク検出器５５の検出部５５ａ，５５ｂに対向する突起片５７とが設けられている。
【００２３】
上記構成において、ローディング機構８によりディスクＤを挟持する前の状態では、図９及び図１０に示すように、両ディスク挟持片４７ｂ，４８ｂがディスクＤから離間した状態で保持されており、台車７を左右方向ａ，ｂに移動させる際に、該ディスク挟持片４７ｂ，４８ｂをディスクＤに衝突させる虞れがない。
【００２４】
次に、台車７を指定したディスクＤの前で停止させ、カム１１を正転ｃさせると、図１８（ｃ）及び図１９に示すように、該カム１１が０°位置からハ位置（９５°）に達するまでは、ディスク挟持用アーム４７ａ，４８ａがディスクＤから離間され（図９及び図１０状態）、ニ位置（１０５°）からホ位置（１１５°）に達するまでに、カム溝５３により両カムピン５２ａ，５２ｂが押され、これにより、図１１実線及び図１２に示すように、下側ローディング部４７の連結杆４７ｃが前進ｅされると共に、横側ローディング部４８の連結杆４８ｃが後退ｆされ、両ディスク挟持用アーム４７ａ，４８ａによりディスクＤが挟持される。
【００２５】
続いて、カム１１がヘ位置（２５０°）に達するまでの間に、カム溝５３の外側壁面に窪み部５３ａが形成されているため、両ディスク挟持用アーム４７ａ，４８ａによりディスクＤを挟持している場合には、その窪み部５３ａに関係無く、カムピン５２ｂが仮想線５９に沿って移動するが、指定したディスクＤが存在せず、両ディスク挟持用アーム４７ａ，４８ａによりディスクＤを挟持することができない場合には、図１１仮想線に示すように、横側ローディング部４８のディスク挟持用アーム４８ａが前側に回動し、それに連動して連結杆４８ｃが後退ｆされ、カムピン５２ｂが窪み部５３ａに沿って移動するようになるため、図１３に示すように、ディスク検出器５５の検出部５５ａ，５５ｂが突起片５７に当接され、該ディスク検出器５５が作動し、ディスクＤが存在しないことが検出される。
【００２６】
その後、両ディスク挟持用アーム４７ａ，４８ａによりディスクＤを挟持した状態で、カム１１がト位置（２９０°）に達するまでに、カム溝５３により両カムピン５２ａ，５２ｂが押されて両連結杆４７ｃ，４８ｃが前進ｅされ、両アーム４７ａ，４８ａが一体となって枢支軸４９を中心に後方に回動され、図１４に示すように、ディスクＤがディスク装着機構１０内に挿入される。
【００２７】
次に、カム１１がチ位置（３２０°）に達し、カム溝５３により両カムピン５２ａ，５２ｂが押されて、両ディスク挟持用アーム４７ａ，４８ａが互いに離間され、ディスクＤの挟持が解除される。
【００２８】
前記ディスク装着機構１０は、図１５及び図１６に示すように、支軸２１を中心に開閉可能に配設された一対の回動枠６１，６２を有し、その一方の回動枠６１にターンテーブル９ａや光ピックアップなどを備えたプレーヤー本体９が配設され、その他方の回動枠６２にターンテーブル９ａに嵌脱可能なディスク押さえ部材６３が取り付けられ、両回動枠６１，６２の下方に前後方向ｅ，ｆに沿って移動可能に配設した操作板６４の中央部に貫設した長孔６５が支軸２１に嵌合されると共に、該操作板６４の二股状両先端部にそれぞれ貫設した二段折曲孔６６，６６が各回動枠６１，６２に突設した係合ピン６７，６７に係合され、且つ、その操作板６４の基端部に突設したカムピン６８がカム１１の上面に形成したカム溝６９に嵌入され、前記二段折曲孔６６，６６の先端部間の間隔αがその後端部間の間隔βよりも狭く設定されている（α＜β）。
【００２９】
上記構成において、ディスク装着機構１０の作動前の状態では、両回動枠６１，６２が互いに閉鎖状態にされており（図２参照）、この状態から、カム１１を正転ｃさせることにより、図１８（ａ）及び図１９に示すように、該カム１１が０°位置からリ位置（５５°）に達すると、カム溝６９によりカムピン６８が前進ｅされ、二段折曲孔６６，６６の後端部が係合ピン６７，６７に係合されて、両回動枠６１，６２が支軸２１を中心に開放され、その開放状態がヌ位置（８５°）からル位置（２６０°）まで保持され、その間に、図１５に示すように、ローディング機構８によりディスクＤが両回動枠６１，６２間に挿入される。続いて、オ位置（２８５°）に達するまでに、カム溝６９によりカムピン６８が後退ｆされ、二段折曲孔６６，６６の先端部が係合ピン６７，６７に係合されて、両回動枠６１，６２が支軸２１を中心に閉鎖され、図１７に示すように、ターンテーブル９ａとディスク押さえ部材６３とでディスクＤが挟持され、該ディスクＤがプレーヤー本体９に装着される。
【００３０】
前記カム停止スイッチ１３は、この実施の形態では、図１に示すように、タンブラースイッチからなり、その検出レバー１３ａがカム１１の係合部７１〔図１８（ａ）参照〕に係合するようになっている。
【００３１】
上記構成において、カム１１を正転ｃさせると、図１８（ａ）及び図１９に示すように、該カム１１が０°位置からワ位置（３３５°）に達した時点で検出レバー１３ａが係合部７１の一方側縁７１ａに係合してカム停止スイッチ１３が作動され、その検出信号によりカム１１の回転が停止され、また、その逆に、ワ位置からカム１１が逆転ｄしてカ位置（２５°）に達した時点で検出レバー１３ａが係合部７１の他方側縁７１ｂに係合してカム停止スイッチ１３が作動され、その検出信号によりカム１１の回転が停止される。
【００３２】
上記構成によれば、１つのカム１１だけでローディング機構８、ディスク装着機構１０、ロックピン１２及びカム停止スイッチ１３を作動させることができ、構造が簡単で製作費を安くすることができる。
【００３３】
前記ローディング機構８、ディスク装着機構１０、ロックピン１２などはマイクロコンピュータからなる制御装置（図示せず）により制御されており、その制御装置の機能を図２０に基づいて説明すると、まず、電源スイッチ５ａを押すと、プレーヤー本体９が作動し、該プレーヤー本体９の光ピックアップがディスクＤのＴＯＣ情報読み取り位置にあるか否かが判断され（Ｓ１）、位置ずれしている場合には、プレーヤー本体９のフィードモータを駆動して、位置ずれを解消する（Ｓ２）。次に、カム１１がゼロ（０°）位置にある否かが判断され（Ｓ３）、位置ずれしている場合には、カムモータ３０を駆動して、位置ずれを解消する（Ｓ４）。続いて、台車７がスタート位置にあるか否かが判断され（Ｓ５）、位置ずれしている場合には、台車モータ２７を駆動して、位置ずれを解消する（Ｓ６）。その後、ディスク配列台６上の多数のディスクＤから所望のディスクＤを選択し、その選択に基づいてディスク指定スイッチ５ｂを操作してディスクナンバーを指定する（Ｓ７）。その指定信号に基づいて制御装置により台車モータ２７が駆動され、台車７を指定ディスクＤの前まで走行させる（Ｓ８）。これにより、図９及び図１０に示すように、ローディング機構８の両ディスク挟持用アーム４７ａ，４８ａが指定ディスクＤを挟んで対向する。
【００３４】
続いて、カム１１を正転ｃさせ（Ｓ９）、図１９に示すタイミングチャートに基づいてロックピン１２、ディスク装着機構１０、ローディング機構８及びカム停止スイッチ１３を順次作動させる。その詳細を説明すると、まず、カムピン４０とカム溝４１とによりロックピン１２が前進ｅされてロック孔４３に嵌入され（図７及び図８参照）、台車７を固定する（Ｓ１０）。
【００３５】
次に、ディスクＤをローディングする（Ｓ１１）。即ち、ディスク装着機構１０のカムピン６８とカム溝６９とにより両回動枠６１，６２が開放状態にされた後（図１５参照）、ローディング機構８のカムピン５２ａ．５２ｂとカム溝５３とにより下側ローディング部４７の連結杆４７ｃが前進ｅされると共に、横側ローディング部４８の連結杆４８ｃが後退ｆされ、両ディスク挟持用アーム４７ａ，４８ａによりディスクＤが挟持された後（図１１実線及び図１２）、両連結杆４７ｃ，４８ｃが前進ｅされ、両ディスク挟持用アーム４７ａ，４８ａにより挟持されたディスクＤが台車７上に引き込まれ（図１４）、ディスク装着機構１０の両回動枠６１，６２間に挿入される（図１５）。
【００３６】
前記ローディング中にディスクＤがあるか否かが判断される（Ｓ１２）。即ち、指定したディスクＤが存在せず、両ディスク挟用アーム４７ａ，４８ａによりディスクＤを挟持することができない場合には、図１１仮想線に示すように、横側ローディング部４８のディスク挟持用アーム４８ａが前側に回動し、それに連動して連結杆４８ｃが後退ｆされ、ディスク検出器５５の検出部５５ａ，５５ｂが突起片５７に当接して、該ディスク検出器５５が作動し、その検出信号により前述した操作が解除され、台車７が元の待機位置に戻される。
【００３７】
前述したように、ディスクＤがディスク装着機構１０の両回動枠６１，６２間に挿入されると（図１５）、両回動枠６１，６２が閉鎖され、ディスク押さえ部材６３とターンテーブル９ａとによりディスクＤが挟まれ、該ディスクＤをプレーヤー本体９に装着することができる（Ｓ１３）。次に、カム停止スイッチ１３の検出レバー１３ａが係合部７１の一方側縁７１ａに係合してカム停止スイッチ１３が作動され、その検出信号によりカム１１の回転が停止される（Ｓ１４）。
【００３８】
その後、プレーヤー本体９が作動し、ディスクＤの情報が再生され、その再生終了後、前記とは逆の手順でディスクＤがディスク配列台６の元の位置に戻され、台車７が待機位置に戻される。
【００３９】
【発明の効果】
本発明によれば、開閉蓋を開動させることにより、該開閉蓋がディスク配列台に配列された多数のディスクの後方に移動し、その開閉蓋によりディスク配列台上からディスクが後方に落下するのを防止するようになっており、前記開閉蓋がディスク落下防止機構を兼ねているから、従来に比べて構造が簡単で製作費を安くすることができる。
【図面の簡単な説明】
【図１】本発明の実施の一形態であるディスクオートチェンジャーの縦断面図である。
【図２】同水平断面図である。
【図３】同一部切り欠き側面図である。
【図４】同開閉蓋付近の分解斜視図である。
【図５】同ディスク配列台の後列部の横断面図である。
【図６】同後列部の縦断面である。
【図７】同ロックピン付近の横断面図である。
【図８】同ロックピン付近の平面図である。
【図９】同ローディング機構のローディング前の側面図である。
【図１０】同ローディング機構のローディング前の平面図である。
【図１１】同ローディング機構のディスク挟持状態の側面図である。
【図１２】同ローディング機構のディスク挟持状態の平面図である。
【図１３】同ローディング機構のディスク不存在状態の平面図である。
【図１４】同ローディング機構のローディング中の側面図である。
【図１５】同ディスク装着装置の装着前の平面図である。
【図１６】同ディスク装着装置の装着前の側面図である。
【図１７】同ディスク装着装置の装着中の平面図である。
【図１８】（ａ）〜（ｃ）は同カムの概略平面図である。
【図１９】同タイミングチャートである。
【図２０】同フローチャートである。
【図２１】同ディスクオートチェンジャーの斜視図である。
【符号の説明】
１    筺体
２    開閉蓋
３    ディスク出し入れ用開口部
６    ディスク配列台
７    台車
８    ローディング機構
９    プレーヤー本体
１０  ディスク装着装置
Ｄ    ディスク
【図１】
0003651704.tif 000002
【図２】
0003651704.tif 000003
【図３】
0003651704.tif 000004
【図４】
0003651704.tif 000005
【図５】
0003651704.tif 000006
【図６】
0003651704.tif 000007
【図７】
0003651704.tif 000008
【図８】
0003651704.tif 000009
【図９】
0003651704.tif 000010
【図１０】
0003651704.tif 000011
【図１１】
0003651704.tif 000012
【図１２】
0003651704.tif 000013
【図１３】
0003651704.tif 000014
【図１４】
0003651704.tif 000015
【図１５】
0003651704.tif 000016
【図１６】
0003651704.tif 000017
【図１７】
0003651704.tif 000018
【図１８】
0003651704.tif 000019
【図１９】
0003651704.tif 000020
【図２０】
0003651704.tif 000021
【図２１】
0003651704.tif 000022